(57)【要約】【課題】開閉蓋により投入口を完全に閉塞した状態を確実に検出できて検出精度の飛躍的な向上を図ることができる投入装置を提供する。【解決手段】開閉蓋３により開閉自在な投入口２を通じて塵芥を投入する投入装置１において、開閉蓋３には、当該開閉蓋３を構成する材質よりも近接センサ６で検出できる検出可能距離が長い材質からなる検出体７が設けられ、近接センサ６は、開閉蓋３が投入口２を閉じたときに開閉蓋３側を検出しないで検出体７のみを検出するように上記検出体７と開閉蓋３との材質に基づいて検出体７から所定距離を離間した位置に設けられている。開閉蓋３側の材質が３００系オーステナイト系のステンレスであり、検出体７の材質が４００系のマルテンサイト系もしくはフェライト系、又は３００系の２相系ステンレスである。【選択図】  図２
2007161404.tif 000002
【特許請求の範囲】
【請求項１】
開閉蓋により開閉自在な投入口を通じて塵芥を投入する投入装置において、
前記開閉蓋には、当該開閉蓋を構成する材質よりも近接センサで検出できる検出可能距離が長い材質からなる検出体が設けられ、上記近接センサは、前記開閉蓋が前記投入口を閉じたときに開閉蓋側を検出しないで検出体のみを検出するように上記検出体と開閉蓋との材質に基づいて検出体から所定距離を離間した位置に設けられたことを特徴とする投入装置。
【請求項２】
前記開閉蓋側の材質が３００系オーステナイト系のステンレスであり、前記検出体の材質が４００系のマルテンサイト系もしくはフェライト系、又は３００系の２相系ステンレスであることを特徴とする請求項１記載の投入装置。
【発明の詳細な説明】
【技術分野】
【０００１】
本発明は、開閉蓋により開閉自在な投入口を通じて塵芥を投入する投入装置に関するものである。
【背景技術】
【０００２】
従来、塵芥を貯留容器などに貯留する際に、当該塵芥を貯留容器に投入するための投入装置が提供されている。
【０００３】
具体的には、投入装置は、貯留容器にシュートなどを介して通じる投入口が形成されるとともに、この投入口を開閉する開閉蓋が設けられてなり、開閉蓋を開放して塵芥を投入口を通じて投入することによって当該塵芥をシュートなどを介して貯留容器に貯留するようにしていた（例えば、特許文献１及び２参照。）。
【０００４】
そして、このような投入装置においては、開閉蓋により投入口を閉塞した状態を検出するための近接センサが設けられており、この検出器によって開閉蓋で投入口を閉塞したのを検出することで、例えば貯留容器が投入口の前方に配置されておらず塵芥を貯留容器に収容できない場合などに必要に応じてロック装置によって開閉蓋を閉塞状態で固縛するようにしていた（例えば、特許文献３参照。）。
【特許文献１】特開２００５−８９１６０号公報
【特許文献２】特開平３−１５８３０２号公報
【特許文献３】特開２００５−１４５５８３号公報
【発明の開示】
【発明が解決しようとする課題】
【０００５】
しかしながら、上記従来の投入装置では、開閉蓋が投入口を完全に閉塞していない状態でも検出器が誤ってこれを検出してしまうことがあり、この検出によってロック装置によって開閉蓋を固縛しようとしても固縛できない事態が生じていた。
【０００６】
このためロック装置を作動させているにも関わらず、開閉蓋が開いてしまうことが起こり、これにより例えば貯留容器が投入口の前方に配置されていない場合でも塵芥の投入が可能になるという不具合が生じるという問題があった。
【０００７】
本発明は、上記問題点に鑑みてなされたもので、その目的とするところは、開閉蓋により投入口を完全に閉塞した状態を確実に検出できて検出精度の飛躍的な向上を図ることができる投入装置を提供することにある。
【課題を解決するための手段】
【０００８】
上記の目的を達成するため、請求項１に係る発明の投入装置は、開閉蓋により開閉自在な投入口を通じて塵芥を投入する投入装置において、前記開閉蓋には、当該開閉蓋を構成する材質よりも近接センサで検出できる検出可能距離が長い材質からなる検出体が設けられ、上記近接センサは、前記開閉蓋が前記投入口を閉じたときに開閉蓋側を検出しないで検出体のみを検出するように上記検出体と開閉蓋との材質に基づいて検出体から所定距離を離間した位置に設けられたものである。
【０００９】
請求項２に係る発明の投入装置は、前記開閉蓋側の材質が３００系オーステナイト系のステンレスであり、前記検出体の材質が４００系のマルテンサイト系もしくはフェライト系、又は３００系の２相系ステンレスであるものである。
【発明の効果】
【００１０】
本発明によれば、開閉蓋と検出体との材質の差に基づく近接センサの検出特性を利用して当該近接センサを取付けて検出体を検出することで、開閉蓋を投入口に対して完全に閉塞したときにのみこれを確実に検出することができて検出精度の飛躍的な向上を図ることができ、これによって開閉蓋を確実に閉塞した状態で固縛することができる。
【発明を実施するための最良の形態】
【００１１】
以下、本発明の実施の形態について図面を参照して説明する。
【００１２】
図１及び図２は、本発明の投入装置を示している。
【００１３】
この投入装置１は、開閉蓋３により開閉自在な投入口２を通じて塵芥を投入するように構成されたもので、以下、各部材の構成を具体的に説明する。
【００１４】
上記投入口２は、塵芥を収容するごみ容器を配置した部屋（図２の右側の部屋）と区画する隔壁Ａに配設された本体プレート１１に形成されており、この投入口２を通じて隔壁Ａ（図２参照）で区画された左右の部屋が連通されている。また、投入口２には、上述したごみ容器を配置した部屋に向けてシュート４が延設されている。
【００１５】
上記開閉蓋３は、前記投入口２及びシュート４内に嵌め込むような形で設けられている。詳しくは、開閉蓋３は、図２及び図３に示すように断面形状が扇形に形成された箱状のバケットであって、その下端となる基端部が枢軸３１によって投入口２の下端縁に回動自在に支持されている。
【００１６】
この開閉蓋３の前面は、前記投入口２を閉塞するための蓋部３２になっており、蓋部３２の上端縁に下向き鉤状に形成された把手３３が設けられている。
【００１７】
また、開閉蓋３の蓋部３２の上端内側には当該開閉蓋３の上面開口３ａの一部を覆う形で所定長さのプレート３４が設けられており、開閉蓋３を開閉している際にこのプレート３４によって図４に示すように投入口２を覆うことで開閉蓋３と投入口２との間での指や腕などの挟み込みを防止するようにしている。
【００１８】
従って、図２に示すように開閉蓋３の蓋部３２によって投入口２を閉塞した状態から、把手３３を持って開閉蓋３全体を手前に引っ張ることで、図５に示すように開閉蓋３の後面上端に設けた突片３５がシュート４の上部に設けたストッパ４１と当接する位置まで当該開閉蓋３が手前に回動する。これにより開閉蓋３内にその上面開口３ａを通じて塵芥を投入することができるように投入口２が開放され、この開閉蓋３内に塵芥を投入した状態で当該開閉蓋３を閉塞する方向に回動させることで、塵芥をシュート４を通じて後述するごみ容器に投入することができる。
【００１９】
なお、シュート４の下部側には、開閉蓋３が閉塞位置まで回動した際にその回動を阻止して当該開閉蓋３を閉塞位置に安定的に配置するクッション材４２が設けられている。
【００２０】
そして、上述したシュート４の前方には当該シュート４に対峙して図示しないごみ容器が配置されており、本発明の投入装置を通じて塵芥を投入することによりこのごみ容器内に塵芥を収容するようにしている。
【００２１】
一方、投入口２の上部にはロック装置５（図１参照）が設けられている。ロック装置５は、開閉蓋３が投入口２を閉塞した図１及び図２に示す状態で当該開閉蓋３を固縛するためのもので、図１に示すように装置本体５１に出没自在に設けられたロックピン５２を前記蓋部３２の把手３３に設けられたロック孔（図示省略）に挿入させることで、開閉蓋３を閉塞状態で固縛して開放しないようにしている。
【００２２】
ところで、上述したように開閉蓋３が閉塞位置にあるか否かは近接センサ６の検出によって判断するようにしている。
【００２３】
具体的には、近接センサ６は、投入口２に対して開閉蓋３を完全に閉塞した際に図６に示すようにその検出面６１が把手３３の上面と対峙するように前記投入口２の上端内側に設けられている。そして、上記検出面６１が対峙する把手３３の上面には検出体７が設けられている。
【００２４】
検出体７は、材質が４００系のフェライト系のステンレスであるＳＵＳ４３０からなり、上記把手３３の上面と面一の状態で一体的に組み込まれている。
【００２５】
これに対して、把手３３やプレート３４を含む開閉蓋３全体は、材質が３００系オーステナイト系のステンレスの代表的なＳＵＳ３０４製からなり、これら開閉蓋３と検出体７による材質の違いを利用して近接センサ６が以下のように取付けられている。
【００２６】
つまり、ＳＵＳ４３０とＳＵＳ３０４とでは上記近接センサ６で検出できる距離（検出面６１と、検出体７及び把手３３等との間の距離）に違いがあることに着目し、これを試験的に見いだした結果を特性として図７に示している。
【００２７】
図７に示す試験結果からすれば、所定の近接センサ６によって検出できる距離（検出可能距離）はＳＵＳ３０４よりもＳＵＳ４３０の方がＸmm長いことが分かり、この違いに基づいて近接センサ６の取付位置を決定することになる。なお、この検出可能距離は、近接センサ６の精度によってそれぞれ異なるものの、ＳＵＳ３０４よりもＳＵＳ４３０の方が上記検出可能距離が長いという特性は変わらない。
【００２８】
従って、例えば近接センサ６によってＳＵＳ４３０を検出する距離がＳＵＳ３０４を検出する距離よりも１．６倍（１６０％）長いとすると、ＳＵＳ３０４を検出する検出可能距離が７mmである場合、ＳＵＳ４３０製の検出体７に対して７＜Ｌ＜１１．２mmの範囲（図６参照）で近接センサ６を当該検出体７から離間させて取付けることで、近接センサ６によって検出体７のみを検出することができる。
【００２９】
このように開閉蓋３と検出体７との材質の差に基づく近接センサ６の検出特性を利用して当該近接センサ６を取付けて検出体７を検出することで、開閉蓋３を投入口２に対して完全に閉塞したとき、つまり近接センサ６の検出面６１が検出体７と対峙したときにのみこれを確実に検出することができる。
【００３０】
即ち、近接センサ６は、例えば開閉蓋３のプレート３４等と対峙したとしても検出可能距離より離間して配置されていることから、当該近接センサ６による誤検出を確実に防止でき、近接センサ６の検出面６１が検出体７と対峙したときにのみこれを確実に検出することができる。
【００３１】
そして、このように開閉蓋３が投入口２を閉塞したことを近接センサ６によって検出したときに必要に応じてロック装置５によって開閉蓋３を閉塞状態で固縛することができる。ロック装置５で開閉蓋３を閉塞事態で固縛する場合としては、例えばごみ容器が塵芥を収容できる適正位置に配置されていないときに開閉蓋３の開放を阻止して塵芥の投入を禁止する場合や、子供などが開閉蓋３を無闇に開放しないように安全上の理由から開閉蓋３の開放を阻止する場合など、周囲の状況や必要に応じて適宜に設定すればよい。
【００３２】
なお、上述した実施形態は、あくまでも本発明の好適な実施態様を示すものであって、本発明はこれに限定されることなく、その範囲内において種々設計変更可能である。
【００３３】
例えば、検出体７を把手３３に面一の状態で一体的に組み込んだものに付いて説明したが、検出体７の配設はこれに限らず、例えば把手の３３の裏面（下面）に検出体７を貼付けるようにして配設しても上述したものと同様な効果を奏することができる。
【００３４】
また、検出体７の材質としては、前述したＳＵＳ４３０の他、このＳＵＳ４３０と同じ種類の４００系のフェライト系（ＳＵＳ４４４）や、その他に４００系のマルテンサイト系（ＳＵＳ４１０、ＳＵＳ４４０）、又は３００系の２相系ステンレス（ＳＵＳ３２９Ｊ１、ＳＵＳ３２９Ｊ４Ｌ）製であってもよい。
【００３５】
さらに、開閉蓋３側の材質としては、ＳＵＳ３０４の他、ＳＵＳ３０１、ＳＵＳ３０２、ＳＵＳ３０３、ＳＵＳ３０４Ｌ、ＳＵＳ３０４Ｊ１、ＳＵＳ３０５、ＳＵＳ３０９Ｓ、ＳＵＳ３１６、ＳＵＳ３２１、ＳＵＳ６３０、ＳＵＳ６３１などの３００系オーステナイト系のステンレス製であってもよい。
【図面の簡単な説明】
【００３６】
【図１】本発明の投入装置を示す正面図である。
【図２】同じく投入装置を示す側面から見た断面図である。
【図３】開閉蓋を示す斜視図である。
【図４】開閉蓋の開放途中の状態を示す側面から見た断面図である。
【図５】開閉蓋の開放状態を示す側面から見た断面図である。
【図６】近接センサの取付状態を示す側面から見た拡大図である。
【図７】各材質によって近接センサが検出できる特性を示す図である。
【符号の説明】
【００３７】
１  投入装置
２  投入口
３  開閉蓋
７  検出体
【図１】
2007161404.tif 000003
【図２】
2007161404.tif 000004
【図３】
2007161404.tif 000005
【図４】
2007161404.tif 000006
【図５】
2007161404.tif 000007
【図６】
2007161404.tif 000008
【図７】
2007161404.tif 000009